(57)【要約】      （修正有）【課題】５から１０個のネイルケアパックを収納できるネイルケアパック付き専用容器セットを提供する。【解決手段】本体５０（取り出し口付き）と蓋３０（自由に外せる取り出し口のカバー）を含む。本体の内部には回転台４０があり、回転台には回転軸４２が１つ備えられ、回転軸には放射状のキャリアー４１が５から１０個取り付けられている。このキャリアーには管状または袋状のネイルケアパック２０を被せることができ、回転台を回転させることによって、キャリアーが順次自動的に取り出し口５１へ運ばれる。【選択図】図１
0003183273.tif 000002
【実用新案登録請求の範囲】
【請求項１】
管状または袋状のネイルケアパックと、
取り出し口付きの本体１個と、
自由に外せる取り出し口のカバーとなる蓋１個と、を有し、
前記本体の内部には回転台があり、当該回転台は回転軸が１つ備えられ、当該回転軸には放射状のキャリアーが５から１０個取り付けられ、
前記キャリアーは前記ネイルケアパックを被せることが可能であり、
前記回転台を回転させることによって前記キャリアーが順次自動的に前記取り出し口へ運ばれることを特徴とするネイルケアパック付きの専用容器セット。
【請求項２】
前記本体の内側中心部には２つの対称な円形凹部があり、前記回転軸の両端の円形凸部と嵌め合わされる請求項１に記載のネイルケアパック付き専用容器セット。
【請求項３】
前記キャリアーは、扁平な四角形または四角形の柱状、円筒状または扁平な楕円柱状である請求項１に記載のネイルケアパック付き専用容器セット。
【請求項４】
前記キャリアーは扁平な四角形が好ましい請求項３に記載のネイルケアパック付き専用容器セット。
【請求項５】
前記本体の取り出し口を前記蓋でカバーした後、前記専用容器は車輪状になり、前記蓋は車輪状の前記専用容器の一部になる請求項１に記載のネイルケアパック付きの専用容器セット。
【請求項６】
前記蓋の内側には対称な凸部が設けられ、前記本体の外側には前記凸部に応じる凹部が設けられ、
前記凸部と前記凹部とは嵌めることができ、これによって前記蓋は前記取り出し口を覆い、前記蓋を前記取り出し口に自由に着脱できる請求項５に記載のネイルケアパック付き専用容器セット。
【請求項７】
前記ネイルケアパックを５から１０個含み、
前記ネイルケアパックは前記キャリアーにひとつずつ被せられる請求項１から６のいずれか１項に記載のネイルケアパック付き専用容器セット。
【考案の詳細な説明】
【技術分野】
【０００１】
本考案は、管状または袋状のネイルケアパックに適用される斬新なパッキングである。特に本考案では１つの容器で５−１０個の管状または袋状のネイルケアパックを収納でき、しかも１個ずつ自由に取り出せ、非常に便利である。
【背景技術】
【０００２】
女性はネイルアートを施す際に、不注意な操作により爪及び爪周辺の皮膚を傷つけることがよくある。また体質や季節あるいは仕事の環境によって、爪が黄色みを帯びたり、光沢が損なわれたり、荒れるという健康問題も起こりやすくなる。
【０００３】
最近、台湾では台湾実用新案第Ｍ４２７１５５  Ｕ１号という斬新なハンドケア用生物繊維ケアパックが公開された。このケアパックにはハンドパックがワンセット付く（親指と他の四本）。このハンドパックは生物繊維の繊維の素材で作られ、潤い成分が含まれるため手肌をケアできる。
【０００４】
また、現在顔に使う美容パック及び上述の台湾で発表されたハンドパックはシートパックで１枚ずつ包装される（箔袋のような包装で１枚または２枚が密封されたもの）。
【考案の概要】
【考案が解決しようとする課題】
【０００５】
この商品を考案するまでは、使用の際に、指だけ被せる管状または袋状のネイルケアパックはなく、また、同時に５−１０個の管状または袋状のネイルケアパックを固定する容器や包装もなかった。
【０００６】
本考案の主な目的は、使用者が使用する際に５−１０個の管状又は袋状のネイルケアパックを１個ずつ自由に取り出せるような専用容器を提供することである。さらに、このネイルケアパック付きの専用容器セットには５−１０個の管状または袋状のネイルケアパックを収納できると考えている。
【課題を解決するための手段】
【０００７】
上記を実現するために、本考案はネイルケアパックを収納できる新たな容器を提供することである。このセットは本体１個（取り出し口付き）と蓋１個（自由に外せる取り出し口のカバー）を含む。本体の内部に取り付ける回転台があり、その回転台には回転軸が１つ備えられ、回転軸には放射状のキャリアーが５−１０個取り付けられている。
【考案の効果】
【０００８】
このキャリアーには管状または袋状のネイルケアパックを被せることができ、使用者は回転台を回転させることによって、キャリアーが順次自動的に取り出し口へ運ばれる。
【０００９】
特筆すべきは、本体内壁の中心付近に二つの対称な円形凹部があり、この二つの対称な円形凹部は回転軸の両端に対応する円形凸部と嵌め合わされる。
【００１０】
さらに、キャリアーの形状には扁平な四角形状、四角形の柱状、円筒状または扁平な楕円形状を選ぶことができるが、その中で扁平な四角形状が一番好ましい。
【００１１】
また、本体取り出し口の蓋をした後、容器は車輪状になり、この蓋は車輪状容器の一部になる。
【００１２】
これらに付け加えて、蓋の内側に対称な凸点があり、本体の外側にはこの凸点に応じる凹み穴が設置されている。蓋は本体にあるこの凹み穴に取り付けられ、それによって、蓋は取り出し口を覆う。この蓋は取り出し口から自由に外すことができる。実用新案登録請求の範囲に記載するもう一つの事項は、蓋の凸点と本体の凹み穴を入れ替えられることである。つまり、この二つの対称な凸点を本体の外側に、さらに凹み穴を蓋の内側に設けることができる。
【００１３】
本考案は、ネイルケア用のケアパック付きの専用容器セットを提供することを目的とし、上述のようにネイルケアパックの容器１個、管状または袋状のネイルケアパック５−１０個からなり、ネイルケアパックは１個ずつキャリアーに被せることである。
【図面の簡単な説明】
【００１４】
図を参考にしながら、本商品の詳細な組み立て方を説明することにより、本商品に含まれた技術及び他の優位な効果を明白にする。
【図１】図１は分解された本商品の見取り図であり、図中に示す蓋（３０）と本体（５０）は仮に透明体とする。
【図２】図２は蓋（３０）を外した際の組み立て図である。
【考案を実施するための形態】
【００１５】
本考案の特徴及び技術内容をより詳細に理解するために、以下の組み立て方法と図面を参考にして頂きたい。ただし、この図面の提供は考案の内容を説明するためであり、本考案の創作の範囲を限定するものではない。
【００１６】
「本体の組み立て方」
本商品の優れた点についてよりわかりやすいように、図を用いて説明する。まず、図１と図２に示すように、本商品はネイルケア用ケアパック付きの専用容器セットであって、その中に１０個の管状ネイルケアパック（２０）が付き、また、そのネイルケアパックを収納できる容器がある（１０）。この容器（１０）はいくつかの付属品を含む。すなわち、本体（５０）、蓋（３０）及び本体の内部に取り付けた回転台（４０）である。
【００１７】
この回転台（４０）には回転軸（４２）とその回転軸に取り付ける放射状の１０枚の羽根（４１）がある。本体（５０）は二つの対称の半体で構成され、いずれも接着剤や熱熔合、ラッチ、ねじなどの方法で接合される。今回は接着剤を使用し半体を接合した。接着後、本体（５０）の上部には取り出し口（５１）がある。なお接着前に、回転軸（４２）の凸部の一方を本体（５０）内側の円形凹部（５３）に嵌めておく。接着後、回転台（４０）は本体（５０）の中に据え付けられ、回転台（４０）を通して１０枚の羽根（４１）が取り出し口（５１）に現れる。この１０枚の羽根（４１）に１個ずつネイルケアパック（２０）を被せ、最後に、蓋（３０）を取り出し口（５１）に取り付ければ（詳細は後述）、本商品の組み立ては完了する。本商品は透明または半透明の包装膜で密封される。
【００１８】
本商品の蓋（３０）の本体（５０）への取り付けについて、その詳細を述べる。蓋（３０）の内側に二つの対称な凸部（３１）を設ける。さらに本体（５０）の両側にそれぞれフランジ（５５）を設ける。このフランジ（５５）は取り出し口（５１）の下端まで伸びており、フランジ（５５）の外側には蓋（３０）の凸部（３１）に応じる凹部（５２）が設けられる。蓋（３０）はフランジに対応する凸部（３１）を利用して本体（５０）のフランジ（５５）にある凹部（５２）に嵌めることができる。それによって、取り出し口（５１）を覆う蓋（３０）は自由に脱着することができる。本体（５０）の底部は水平面（５４）であり、デスクなどの平面に自立させることができる。また、使用者が本体（５０）を持ちやすいように本体中心部は凹んでいる。
【００１９】
蓋（３０）を外した後（図２で表示なし）、使用者は回転台（４０）を回転させることによって、取り出し口（５１）から羽根（４１）に被せた管状または袋状のネイルケアパック（２０）を手軽に取り出すことができる（図２参照）。
【符号の説明】
【００２０】
１０  ネイルケアパック付きの専用容器セット、
２０  ネイルケアパック、
３０  蓋、
３１  フランジに対応する凸部、
４０  回転台、
４１  羽根（キャリアー）、
４２  回転軸、
５０  本体、
５１  取り出し口、
５２  フランジのくぼみ部分、
５３  円形凹部、
５４  平面、
５５  フランジ。
【図１】
0003183273.tif 000003
【図２】
0003183273.tif 000004